(57)【特許請求の範囲】
【請求項１】
一体の合成樹脂シートで形成され、凹凸具合が表裏で相補的な形状を有し、
回転付勢されたコマが動き回るすり鉢状のフィールドを備え、
前記フィールドの内側部分又は周辺部分の上面に開口する複数の凹部が所定距離隔てて複数形成され、前記凹部を画成する壁は前記内側部分又は前記周辺部分の下面から下方に突出し床面に着座可能な脚部を形成している、ことを特徴とするコマ用遊戯台。
【請求項２】
前記凹部はコマを捕捉し得る大きさに形成されていることを特徴とする請求項１に記載のコマ用遊戯台。
【請求項３】
前記周辺部分には、機能追加パーツを取り付けるための孔が形成されていることを特徴とする請求項１に記載のコマ用遊戯台。
【請求項４】
前記周辺部分の外側にはフェンスが形成されていることを特徴とする請求項１に記載のコマ用遊戯台。
【請求項５】
前記フェンスの上端部が外側にＵ字状に折り返されていることを特徴とする請求項４に記載のコマ用遊戯台。
【請求項６】
前記フェンスの上縁には機能追加パーツを取り付けるための窪みが形成されていることを特徴とする請求項４又は請求項５に記載のコマ用遊戯台。
【発明の詳細な説明】
【技術分野】
【０００１】
本発明は、例えばコマバトルゲームに使用されるコマ用遊戯台に関するものである。
【背景技術】
【０００２】
従来、回転付勢された複数のコマ同士を衝突させて勝敗を競うコマバトルゲームが行われている。
近年、このコマバトルゲームを行うのに、コマの分散を防止してコマ同士の衝突を容易にするため、専用のコマ用遊戯台が使用されている。
このコマ用遊戯台の一例を挙げれば、１つのＰＶＣシートで形成され、回転付勢されたコマが回転しながら動き回るすり鉢状のフィールドを有する（例えば、特許文献１参照）。
【先行技術文献】
【特許文献】
【０００３】
【特許文献１】登録実用新案第３１９９９３３号公報  図２及び図３
【発明の概要】
【発明が解決しようとする課題】
【０００４】
すり鉢状のフィールドを形成する場合、当該フィールドを安定的に支持するための脚部が必要となる。
そこで、従来、フィールドの周辺部を全周に亘って下方にＵ字状に曲折し、曲折部分をフィールドの下端と同じかそれよりも下方まで延出させ、その延出部分の縁でフィールドを支持させていた。
しかしながら、このような構造とする場合、フィールドの周辺部を全周に亘って下方にＵ字状に曲折し、その曲折部分を脚部としているものであることから、材料が多く必要となり、材料費が嵩むという問題があった。
【０００５】
本発明は、かかる問題点に鑑みなされたもので、材料費の低減に資するコマ用遊戯台を提供することを課題とする。
【課題を解決するための手段】
【０００６】
請求項１に記載のコマ用遊戯台は、
一体の合成樹脂シートで形成され、凹凸具合が表裏で相補的な形状を有し、
回転付勢されたコマが動き回るすり鉢状のフィールドを備え、
前記フィールドの内側部分又は周辺部分の上面に開口する複数の凹部が所定距離隔てて複数形成され、前記凹部を画成する壁は前記内側部分又は前記周辺部分の下面から下方に突出し床面に着座可能な脚部を形成している、ことを特徴とする。
【０００７】
請求項２に記載のコマ用遊戯台は、請求項１に記載のコマ用遊戯台であって、前記凹部はコマを捕捉し得る大きさに形成されていることを特徴とする。
【０００８】
請求項３に記載のコマ用遊戯台は、請求項１に記載のコマ用遊戯台であって、前記周辺部分には、機能追加パーツを取り付けるための孔が形成されていることを特徴とする。
【０００９】
請求項４に記載のコマ用遊戯台は、請求項１に記載のコマ用遊戯台であって、前記周辺部分の外側にはフェンスが形成されていることを特徴とする。
【００１０】
請求項５に記載のコマ用遊戯台は、請求項４に記載のコマ用遊戯台であって、前記フェンスの上端部が外側にＵ字状に折り返されていることを特徴とする。
【００１１】
請求項６に記載のコマ用遊戯台は、請求項４又は請求項５に記載のコマ用遊戯台であって、前記フェンスの上縁には機能追加パーツを取り付けるための窪みが形成されていることを特徴とする。
【発明の効果】
【００１２】
請求項１に記載のコマ用遊戯台によれば、フィールドの内側部分又は周辺部分の上面に開口する複数の凹部を画成する壁が下面から下方に突出し脚部を形成しているので、フィールドの周辺部を全周に亘って下方にＵ字状に曲折してその曲折部分を脚部とする必要がなく、材料の低減が図れることになる。
【００１３】
請求項２に記載のコマ用遊戯台によれば、凹部はコマを捕捉し得る大きさに形成されているので、コマの収納に利用できるし、また、遊びの中で落とし穴としても利用できる。
【００１４】
請求項３に記載のコマ用遊戯台によれば、孔を利用して各種の機能追加パーツを取り付けることができる。
【００１５】
請求項４に記載のコマ用遊戯台によれば、フェンスによりコマの飛び出しを防止することができる。
【００１６】
請求項５に記載のコマ用遊戯台によれば、フェンスの上端部がＵ字状に折り返されているので、コマ用遊戯台の強度が向上するとともに、持ち運びなどが楽に行えることになる。
【００１７】
請求項６に記載のコマ用遊戯台によれば、フェンスの上縁の窪みを利用して各種機能追加パーツを取り付けることができる。
【図面の簡単な説明】
【００１８】
【図１】コマ用遊戯台の使用状態を示した斜視図である。
【図２】コマ用遊戯台を示した図であり、（Ａ）は斜視図、（Ｂ）は（Ａ）のＩＩ−ＩＩ線に沿った断面図である。
【図３】機能追加パーツの斜視図である。
【図４】コマ用遊戯台及び機能追加パーツの斜視図である。
【図５】機能追加パーツの斜視図である。
【発明を実施するための形態】
【００１９】
本発明の実施形態について図を参照しながら説明する。
【００２０】
図１は使用状態のコマ用遊戯台を示す斜視図、図２（Ａ）はコマ用遊戯台だけを示す斜視図、図２（Ｂ）は図２（Ａ）のＩＩ−ＩＩ線に沿った断面図である。
本実施形態に係るコマ用遊戯台１００は、平面視で正方形の角部が面取りされた形状を有している。なお、コマ用遊戯台１００は平面視で円形その他の形であってもよいことは勿論である。
このコマ用遊戯台１００の中央には、平面視で円形のフィールド１０が形成されている。このフィールド１０は、中心に行くほど深くなるすり鉢状の凹部で形成されている。その結果、このコマ用遊戯台１００では、コマ７０は回転しながら中央に寄りやすく、コマ７０同士が中央でぶつかり易くなっている。なお、全体的にすり鉢状の形状であれば、すり鉢状の凹部の中にさらにすり鉢状の凹部が形成されるものであってもよい。また、最深部は中心からずれて形成されていてもよい。
【００２１】
フィールド１０の周辺部は平坦部１１となっている。この平坦部１１の４隅となる部分のそれぞれには平面視で角部が面取りされた三角形状の凹部１２が形成されている。ただし、手前の凹部１２は図示されていない。この凹部１２はコマ７０を捕捉できる大きさに形成されている。ここでは、平坦部１１に凹部１２が形成されているが、この凹部１２は全部又は一部がフィールド１０に臨んでいてもよい。凹部１２をフィールド１０に臨ませれば、フィールド１０上で遊動する途中でコマ７０を凹部１２で捕捉することができる。また、この凹部７０は落とし穴としてだけではなく、コマ７０の収納に利用することができる。なお、フィールド１０の周辺部は平坦でなく、斜面であってもよいし、凹凸があってもよい。また、凹部１２の形状も平面視で三角形状のものに限定されず、例えば平面視で四角形や円形であってもよい。
このコマ用遊戯台１００は、例えば１枚のＰＶＣ（ポリ塩化ビニル樹脂）シートによって形成されている。そして、図２（Ｂ）に示すように、コマ用遊戯台１００の表裏は凹凸の具合が相補的となっている。つまり、表面が凸のときには裏面が凹、逆に、表面が凹のときには裏面が凸となっている。
その結果、平坦部１１に形成された凹部１２を画成する周壁及び底壁は裏側に突出し、凸部を形成している。そして、この凸部の部分はコマ用遊戯台１００の脚部１３を形成している。この脚部１３の下面はフィールド１０の下端と同じか、当該下端よりも下方に位置し、通常の使用状態では、フィールド１０はこの脚部１３によって支持されている。
【００２２】
また、平坦部１１には、図２（Ａ）に示すように、隣り合う凹部１２，１２の間に所定の間隔で２つの円形の孔１４がそれぞれ形成されている。この孔１４は、コマ用遊戯台１００の機能追加パーツを取り付けるための孔である。なお、孔１４は円形でなくても角形その他の形状であってもよい。
図１には各種の機能追加パーツの例が示されている。
１つ目の機能追加パーツ１５は、２本の支柱１５ａ，１５ａの間に円錐状突起１５ｂが多数付設された帯状の板体１５ｃを掛け渡した構造のものである。この機能追加パーツ１５は、２本の支柱１５ａ，１５ａの下端部を孔１４，１４に差し込み、必要であるならば、平坦部１１の下方で留め具によって留める。この機能追加パーツ１５によれば、コマ７０が円錐状突起１５ｂに当たった際にコマ７０の回転速度を減速させたり、コマ７０の進行方向を変更させたりすることができる。
２つ目の機能追加パーツ１６は、２本の支柱１６ａ，１６ａの間にポール１６ｂを掛け渡した構造のものである。取付け方は１つ目の機能追加パーツ１５と同様である。この機能追加パーツ１６によっても、コマ７０がポール１６ｃに当たった際にコマ７０の回転速度を減速させたり、コマ７０の進行方向を変更させたりすることができる。
３つ目の機能追加パーツ１７は、１本の支柱１７ａに回動部材１７ｂが付設された構造を有している。取付け方は１つ目の機能追加パーツ１５と同様である。回動部材１７ｂは所定角度範囲内で回動可能となっていてもよいし、トーションバネなどによって中立位置を保持するようにしてもよい。この機能追加パーツ１７によっても、コマ７０が回動部材１７ｂに当たった際にコマ７０の回転速度を減速させたり、コマ７０の進行方向を変更させたりすることができる。
なお、機能追加パーツは、１本の支柱だけから構成されていてもよい。この機能追加パーツによっても、コマ７０が当たった際にコマ７０の回転速度を減速させたり、コマ７０の進行方向を変更させたりすることができる。また、機能追加パーツとして、支柱１７ａ及び回動部材１７ｂを回転させるモータやぜんまい動力ユニットを取り付けてもよい。また、機能追加パーツとして、ハンマーのような縦型の回動部材を振り上げたり振り下ろしたりするユニットを取り付けてもよい。また、機能追加パーツとして、ライトやサウンド等の機能を備えたポール等を取り付けてもよい。
【００２３】
平坦部１１の外側にはフィールド１０及び平坦部１１の周囲を取り囲むフェンス２０が形成されている。このフェンス２０の上端部はＵ字状に外側下方に曲げられている。その結果、フェンス２０の上端部はある程度の厚みを有し、外側下方に折り曲げられた部分に指を掛けることによって、コマ用遊戯台１００を容易に持ち上げたり、運んだりすることができる。また、コマ用遊戯台１００の強度を向上させることができる。なお、フェンス２０はフィールド１０の全周を取り囲むものでなくてもよく、一部だけに形成されているものでもよい。フェンス２０の一部を切り欠いたものでは、その切欠き部分にコマ７０を滑らせるスロープその他の機能追加パーツを取り付けることができる。
【００２４】
フェンス２０の上縁には、窪み２１が所定間隔で２つ形成されている。この窪み２１の部分は、例えば図３に示すような機能追加パーツ２２をフック２３を介して取り付けるために形成されている。窪み２１がなくても機能追加パーツ２２は取り付けられるが、窪み２１があることによって位置決め固定することが可能となる。ここで、機能追加パーツ２２としては液晶ディスプレイやスピーカ等が挙げられる。また、この機能追加パーツ２２はスマートフォンなどの取付け枠であってもよい。なお、ここでは、フェンス２０の上縁が下方に窪んでいるが、上縁がコマ用遊戯台１００の外方に向けて窪んでいてもよい。また、機能追加パーツ２２は窪み２１に嵌め込む形で取り付けられるものであってもよい。
【００２５】
図４には他の機能追加パーツ４０が示されている。この機能追加パーツ４０はコマ用遊戯台１００の下側に取り付けられるものである。この機能追加パーツ４０は上面４０ａが平坦面で、下部が逆三角形となっている。上面４０ａには突子４０ｂ、４０ｂが立設され、この突子４０ｂ、４０ｂを孔１４，１４に下方から挿入し、凹部材又はナットなどの留め具４１をそれぞれ突子４０ｂ、４０ｂの先端に取り付けることにより、コマ用遊戯台１００に固定される。取付け状態で、機能追加パーツ４０の下端は脚部１３の下面よりも下方に突出し、コマ用遊戯台１００は機能追加パーツ４０の下端を支点として揺動可能となる。これによって、コマ遊びに変化を加えることができる。なお、この機能追加パーツ４０は下部が弧状に下方に向けて膨らむものであってもよい。
【００２６】
図５にはさらに他の機能追加パーツ５０が示されている。この機能追加パーツ５０はディスプレイを有するスマートフォンなどの携帯端末５１の取付け枠として構成されている。この機能追加パーツ５０には携帯端末５１を挟み込む接近及び離間可能な２つの挟持部材５０ａ，５０ａが設けられている。両端の柱状部材５０ｂ，５０ｂにはそれぞれ２つの突子５０ｃ、５０ｃが立設されている。この突子５０ｃ、５０ｃを孔１４，１４に下方から挿入し、凹部材又はナットなどの留め具５２を突子５０ｃ、５０ｃの先端に取り付けることにより、コマ用遊戯台１００に固定される。フィールド１０が透明の場合に、この機能追加パーツ５０を使用してフィールド１０の下に携帯端末５１を設置すれば、フィールド１０を通して携帯端末の画像を視認することができるとともに、携帯端末５１のスピーカを利用して場の雰囲気に合った音を聞くこともできる。また、カメラを備えた携帯端末５１の場合には、カメラによりコマ７０の動きを認識して衝突音を出したり、シュートパワーを表示したりしてもよい。また、加速度センサーを備えた携帯端末５１の場合には、スタジアムの底面の振動を検知し、バトルに遭った表示や音を出力させるようにしてもよい。
【００２７】
以上、本発明の実施形態について説明したが、本発明は、かかる実施形態に限定されず、その要旨を逸脱しない範囲で、種々変形可能であることはいうまでもない。
例えば、コマ７０に永久磁石その他の磁性体を組み込んでおき、フェンス等に電磁コイル又は永久磁石等の機能追加パーツを設け、コマ７０の回転を弱めたり、反発力によってコマ７０をフィールド１０の内方に移動させたりしてもよい。
【符号の説明】
【００２８】
１０  フィールド
１２  凹部
１３  脚部
１４  孔
２１  窪み
１００  コマ用遊戯台
【要約】
【課題】材料費の低減に資するコマ用遊戯台を提供すること。
【解決手段】一体の合成樹脂シートで形成され、凹凸具合が表裏で相補的な形状を有し、回転付勢されたコマ７０が動き回るすり鉢状のフィールド１０を備え、前記フィールド１０の内側部分又は周辺部分の上面に開口する複数の凹部１２が所定距離隔てて複数形成され、前記凹部１２を画成する壁は前記内側部分又は前記周辺部分の下面から下方に突出し床面に着座可能な脚部１３を形成している。
【選択図】図１【図１】
0005969153.tif 000002
【図２】
0005969153.tif 000003
【図３】
0005969153.tif 000004
【図４】
0005969153.tif 000005
【図５】
0005969153.tif 000006